(57)【特許請求の範囲】
【請求項１】
生産管理システムの作業工程管理端末であって、
作業リストを表示するための第１の表示部と、
該第１の表示部に表示する作業リストの条件を設定するためのタッチパネルを有す第２の表示部と、
該第１の表示部に表示された作業リストに対する操作入力を行うための入力部と、
該第１の表示部、該第２の表示部および該入力部を統括する制御部と、
を有し、
該制御部は、
該作業リストの条件を選択するための条件選択ボタンを複数の階層構造で該第２の表示部に表示させ、
該タッチパネルによる選択操作を受け付けて、通信回線を介して接続された工程管理システムから選択された条件に合致する作業工程での製品の構成品の進捗状況データを読み出し、該構成品の作業リストを作成して該第１の表示部に表示させ、
該作業リストは、選択された条件が表示されるとともに、該作業工程の着手前の該製品の構成品を表示する予定トレイと、該作業工程の着手済みの該製品の構成品を表示する作業・作業中トレイと、に分離して表示するものであり、
前記予定トレイに表示された該作業工程の着手前の該製品の構成品を選択し、着手されたことを示す操作を前記入力部が受け付けると、前記選択された構成品を、前記予定トレイから前記作業・作業中トレイに変更して表示するとともに、該変更を該工程管理システムに送信することを特徴とする生産管理システムの作業工程管理端末。
【請求項２】
請求項１において、
前記製品の構成品に対応する帳票に付されたＲＦＩＤを読み取るＲＦＩＤリーダを有し、
前記制御部は、該ＲＦＩＤリーダでの読み取り操作を受け付けて、読み取られた該ＲＦＩＤに対応する前記製品の構成品のデータを前記第１の表示部に表示された作業リスト中で選択状態として表示する
ことを特徴とする生産管理システムの作業工程管理端末。
【請求項３】
請求項１または２において、
前記工程管理システムは、各作業工程で使用する前記製品の構成品の所在に関する所在管理データを有し、
前記制御部は、前記入力部から所在表示の操作を受け付けて、選択された作業工程での前記製品の構成品の所在管理データを前記工程管理システムから読み出して所在マップを作成し、前記第１の表示部に表示させる
ことを特徴とする生産管理システムの作業工程管理端末。
【請求項４】
第１の表示部と第２の表示部と入力部とを備えた生産管理システムの作業工程管理端末の表示方法であって、
該第２の表示部に、該第１の表示画面に表示する作業リストの条件を選択するための条件選択ボタンを複数の階層で表示し、
該階層毎に所定の該条件選択ボタンが選択されることにより、該条件選択ボタンによって選択された条件に合致する作業工程での製品の各構成品に関する進捗状況データを表わす作業リストを該第１の表示部に表示し、
該作業リストは、選択された条件が表示されるとともに、該作業工程の着手前の該製品の構成品を表示する予定トレイと、該作業工程の着手済みの該製品の構成品を表示する作業・作業中トレイと、に分離して表示するものであり、
前記予定トレイに表示された該作業工程の着手前の該製品の構成品を選択し、着手されたことを示す操作を前記入力部が受け付けると、前記選択された構成品の登録を、前記予定トレイから前記作業・作業中トレイに変更して表示することを特徴とする生産管理システムの作業工程管理端末の表示方法。
【発明の詳細な説明】
【技術分野】
【０００１】
本発明は、生産工程での製品の生産の進捗状況を管理する生産管理システムの作業工程管理端末及びその表示方法に関する。
【背景技術】
【０００２】
複数の工程からなる製品の生産システムにおいて、夫々の工程毎にその工程での部品の管理を行なう端末装置に関する技術が提案されている（例えば、特許文献１参照）。
【０００３】
この特許文献１に記載の発明は、物品の工程への搬入からこの工程で加工されてこの工程から搬出までの物品の状況を管理するものであって、工程内での物品の搬送には、かかる物品をまとめて箱に収納し、その箱を搬送することによって行なわれるが、この箱に物品の状況を示すバーコードが記録され、物品がこの工程に搬入されてから加工処理される毎に、また、この工程から搬出されるとき、この物品の状況を表わすバーコードを端末を操作することによって箱に記録するものである。かかるバーコードを端末で確認することにより、この箱に収納されている物品がどのような状況（加工処理段階）にあるのか、いずれの工程で処理された物品でどの工程に搬送されるものであるかを確認することができるものである。
【先行技術文献】
【特許文献】
【０００４】
【特許文献１】特開２００４−１９９４７６号公報
【発明の概要】
【発明が解決しようとする課題】
【０００５】
ところで、上記特許文献１に記載の技術は、物品がどのような状況にあるのか確認することができるものであるが、当該作業工程で各部品がどのような状況にあるのかを画面で確認することができない。当該部品が当該工程で作業の対象になる部品であるかどうかを確認することが必要であることは勿論のこと、この工程で各部品がどのような状況にあるのかも、いつでも確認できることも必要である。
【０００６】
即ち、上記特許文献１に記載の技術では、箱に記録されたバーコードを読み取ってこれに収納されている物品がどの工程で加工処理されたものであるか、どの工程へ搬送されるものであるかといった物品の状況を確認することができるものの、作業工程で各部品がどのような状況にあるのかといったことを確認できるものではない。
【０００７】
本発明の目的は、かかる問題を解消し、作業工程で扱われる部品の状況をいつでも、容易に確認することができるようにした生産管理システムの作業工程管理端末及びその表示方法を提供することにある。
【課題を解決するための手段】
【０００８】
上記目的を達成するために、本発明は、生産管理システムの作業工程管理端末であって、作業リストを表示するための第１の表示部と、該第１の表示部に表示する作業リストの条件を設定するためのタッチパネルを有す第２の表示部と、該第１の表示部に表示された作業リストに対する操作入力を行うための入力部と、該第１の表示部、該第２の表示部および該入力部を統括する制御部と、
を有し、該制御部は、該作業リストの条件を選択するための条件選択ボタンを複数の階層構造で該第２の表示部に表示させ、該タッチパネルによる選択操作を受け付けて、通信回線を介して接続された工程管理システムから選択された条件に合致する作業工程での製品の構成品の進捗状況データを読み出し、該構成品の作業リストを作成して該第１の表示部に表示させ、該作業リストは、選択された条件が表示されるとともに、該作業工程の着手前の該製品の構成品を表示する予定トレイと、該作業工程の着手済みの該製品の構成品を表示する作業・作業中トレイと、に分離して表示するものであり、前記予定トレイに表示された該作業工程の着手前の該製品の構成品を選択し、着手されたことを示す操作を前記入力部が受け付けると、前記選択された構成品を、前記予定トレイから前記作業・作業中トレイに変更して表示するとともに、該変更を該工程管理システムに送信することを特徴とするものである。
【０００９】
また、本発明は、製品の構成品に対応する帳票に付されたＲＦＩＤを読み取るＲＦＩＤリーダーを有し、制御部は、ＲＦＩＤリーダでの読み取り操作を受け付けて、読み取られたＲＦＩＤに対応する製品の構成品のデータを第１の表示部に表示された作業リスト中で選択状態として表示することを特徴とするものである。
【００１０】
さらに、本発明は、工程管理システムは、各作業工程で使用する製品の構成品の所在に関する所在管理データを有し、制御部は、入力部から所在表示の操作を受け付けて、選択された作業工程での製品の構成品の所在管理データを工程管理システムから読み出して所在マップを作成し、第１の表示部に表示させることを特徴とするものである。
【００１１】
上記目的を達成するために、本発明は、作業リストを表示するための第１の表示部と、該第１の表示部に表示する作業リストの条件を設定するためのタッチパネルを有す第２の表示部と、該第１の表示部に表示された作業リストに対する操作入力を行うための入力部と、該第１の表示部、該第２の表示部および該入力部を統括する制御部と、を有し、該制御部は、該作業リストの条件を選択するための条件選択ボタンを複数の階層構造で該第２の表示部に表示させ、該タッチパネルによる選択操作を受け付けて、通信回線を介して接続された工程管理システムから選択された条件に合致する作業工程での製品の構成品の進捗状況データを読み出し、該構成品の作業リストを作成して該第１の表示部に表示させ、該作業リストは、選択された条件が表示されるとともに、該作業工程の着手前の該製品の構成品を表示する予定トレイと、該作業工程の着手済みの該製品の構成品を表示する作業・作業中トレイと、に分離して表示するものであり、前記予定トレイに表示された該作業工程の着手前の該製品の構成品を選択し、着手されたことを示す操作を前記入力部が受け付けると、前記選択された構成品を、前記予定トレイから前記作業・作業中トレイに変更して表示するとともに、該変更を該工程管理システムに送信することを特徴とするものである。
【発明の効果】
【００１２】
本発明によると、第２の表示部での条件選択ボタンの操作により、第１の表示でその操作に応じた作業工程の作業リスト画面を表示させることができ、この作業リスト画面では、選択された作業リストでの部品の状況が表示されるものであるから、オペレータは所望とする作業工程での部品の状況をいつでも、容易に確認することが可能となる。
【図面の簡単な説明】
【００１３】
【図１】本発明による生産管理システムの作業工程管理端末及びその表示方法の一実施形態を示すシステム構成図である。
【図２】製品としての配管の一具体例の図面を示す図である。
【図３】図１での生産管理システムサーバ８で管理される生産管理データの一具体例を示す図である。
【図４】図１での第２の表示部３で表示される操作画面の一具体例を示す図である。
【図５】図１における第１の表示部２に表示される部品の作業リスト画面の一具体例を示す図である。
【図６】図５での進捗状況欄５２ｈを拡大して示す図である。
【図７】図１のＲＦＩＤリーダで使用する帳票の一具体例を示す図である。
【図８】図１での第２の表示部３で表示される操作画面の他の具体例を示す図である。
【図９】図１における第１の表示部２に表示されるスプールの作業リスト画面の一具体例を示す図である。
【図１０】図９に作業リスト画面で指定されたスプールについて「マップ」ボタンが指定されたときに表示されるマップ画面の一具体例を示す図である。
【図１１】図１０に示すマップ画面で部品アイコンが指定されているときの表示状態を示す図である。
【図１２】図１１に示すマップ画面で部品アイコンが移動させられたときの表示状態を示す図である。
【図１３】図５に示す作業リスト画面で「カレンダ」ボタンが指定されたときに表示されるカレンダ画面の一具体例を示す図である。
【図１４】図１３に示すカレンダ画面のカレンダ画面表示指定欄で指定されたカレンダ画面の他の具体例を示す図である。
【図１５】図１４に示すカレンダ画面で各部品の予定日の調整した状態を示す図である。
【図１６】図４に示す操作画面で「モニタリング」ボタンがタッチ操作されることによって表示されるモニタリング画面の一具体例を示す図である。
【発明を実施するための形態】
【００１４】
以下、本発明の実施形態を図面を用いて説明する。
【００１５】
図１は本発明による生産管理システムの作業工程管理端末及びその表示方法の一実施形態を示すシステム構成図であって、１，１Ａ〜１Ｃは作業工程管理端末、２，３は表示部、４は端末制御部、５はマウス、６はＲＦＩＤ（Radio Frequency IDentification）リーダ、７はキーボード、８は生産管理システムサーバ、９は製作手配システム、１０は製品納期管理システム、１１は材料入出庫管理システム、１２は外注管理システム、１３は工程負荷管理システム、１４は進捗管理部、１５は所在管理部である。
【００１６】
同図において、各工程の作業現場毎に、作業工程管理端末１が設けられ、夫々工程負荷管理システム１３と通信可能に接続されているが、他の工程の作業現場に設けられている作業工程管理端末１を、ここでは、作業工程管理端末１Ａ，１Ｂ，１Ｃとして示している。これら作業工程管理端末１，１Ａ〜１Ｃは同じ構成をなし、同じ機能を備えたものであるから、以下では、作業工程管理端末１を代表に説明する。なお、ここでは、作業工程管理端末として、４個の作業工程管理端末１，１Ａ，１Ｂ，１Ｃを示しているが、工程作業現場の個数に応じて設置される作業工程管理端末の個数が異なることはいうまでもない。
【００１７】
生産管理システムサーバ８は、製作手配システム９や製品納期管理システム１０，材料入出庫管理システム１１，外注管理システム１２などの各システムから製品の製作に必要な部品や材料など（以下、これを製品の構成品という）に関するデータを取得し、これらデータを処理してこれらの現状などを示す生産管理データを作成し、かかる生産管理データでもって各材料や各物品などの製品の構成品の管理を行なう。
【００１８】
ここで、製作手配システム９は、製品の図面やこの製品の製作に必要な構成品を決定してその発注や納品などの手配をするシステムであって、かかる図面や決定された製品の構成品に関するデータが生産管理システムサーバ８に提供される。製品納期管理システム１０は、この製品を必要とする現地から要求されるこの製品の納期を管理するものであって、この納期のデータが生産管理システムサーバ８に提供される。現地から納期の変更の要求があると、製品納期管理システム１０がこの納期変更要求を受け付け、生産管理システムサーバ８に通知する。これにより、生産管理システムサーバ８では、製品の納期が更新され、また、作業工程部などに通知される。材料入出庫管理システム１１は、製品の生産に必要な材料や物品などの製品の構成品の入出庫状況、即ち、所在場所を管理するものであって、この入出庫状況データが生産管理システムサーバ８に提供される。外注管理システム１２は、製品の生産に必要な部品や材料などの製品の構成品のうち、その加工や組立てなどの作業を外注したものを管理するものであって、かかる外注データは生産管理システムサーバ８に提供される。
【００１９】
工程負荷管理システム１３には、進捗管理部１４と所在管理部１５とが設けられており、各工程の作業現場での作業工程管理端末１からの要求に応じて、進捗管理部１４が生産管理システムサーバ８から所定のデータを取得して後述する製品の構成品の作業リスト画面などを作成し、作業工程管理端末１に提供するし、また、所在管理部１５が生産管理システムサーバ８から所定のデータを取得して後述するマップ画面やカレンダ画面などを作成し、夫々作業工程管理端末１に提供する。
【００２０】
作業工程管理端末１は、工程負荷管理システム１３からのデータなどからなる作業リスト画面やマップ画面，カレンダ画面など（以下、作業リスト画面などという）を表示する第１の表示部２と、タッチパネルを備え、第１の表示部２で表示された作業リスト画面を操作するための操作画面が表示される第２の表示部３と、第１の表示部２で表示された作業リスト画面などの操作をするための操作部としてのマウス５と、製品の構成品毎に設けられた帳票のＲＦＩＤタグからＲＦＩＤを読み取るＲＦＩＤリーダ６と、キーボード７と、これらを制御するとともに、工程負荷管理システム１３との通信を行なう端末制御部４とから構成されている。
【００２１】
第２の表示部３では、第１の表示部２に表示する各工程での製品の構成品の進捗状況などを表わした作業リスト画面の表示を指定する操作をタッチ操作で行なうことができ、マウス５は第１の表示部２で表示された作業リスト画面で製品の所定の構成品の指定をカーソル操作でできるようにするものである。また、ＲＦＩＤリーダ６は、製品の構成品毎に作成された帳票に設けられたＲＦＩＤタグからこの帳票に該当する製品の構成品に割り当てられたＲＦＩＤを読み取ることにより、第１の表示部２で表示された作業リスト画面でこの製品の構成品を指定することができるようにするものである。さらに、キーボード７の操作により、第１の表示部２で表示された作業リスト画面でカーソルを移動させて製品の所望の構成品を指定することもできる。
【００２２】
ここで、この実施形態では、製品として、パイプを繋ぎ合わせた配管を例として説明する。ここで、配管が製品であり、この製品の構成品としては、部品単位でのパイプと、かかるパイプを複数スプール単位で組み立てた部品としてのスプールとが対象となる。
【００２３】
図２は製品としての配管の一具体例の図面を示す図であって、１６は図面、１７ａ〜１７ｇはパイプ、１８ａ〜１８ｉは溶接部、１９ａ，１９ｂはスプール、２０は図番である。
【００２４】
同図において、この図面１６には、この図面の番号、即ち、図番２０とともに、作業工程管理端末１，１Ａ〜１Ｃ（図１）毎の作業現場で作成される配管が描かれたものであって、製作手順システム９（図１）で作成されるものであり、この配管の製作作業工程が、製作手順システム９により、これら夫々の作業現場に割り当てられる。また、かかる図面６のデータが、製作手順システム９から生産管理システムサーバ８に提供される。
【００２５】
かかる図面１６によると、製品である配管は、部品であるパイプ１７ａ〜１７ｃが接続されてなるスプール１９ａと、部品であるパイプ１７ｄ〜１７ｇが接続されてなるスプール１９ｂとが接続された構成をなすものであり、組立前の部品である夫々のパイプ１７ａ〜１７ｇに品番５〜１１が、パイプ１７ａ〜１７ｇ夫々間の溶接による繋ぎ目に溶接番Ｗ０１〜Ｗ０９が、組立工程によるスプール１９ａ，１９ｂ毎に夫々スプール番Ｔ０２３，Ｔ０２４が割り当てられている。
【００２６】
なお、以下では、パイプ１７ａ〜１７ｇを総称する場合には、パイプ１７といい、スプール１９ａ，１９ｂを総称する場合には、スプール１９という。
【００２７】
図３は図１での生産管理システムサーバ８で管理される生産管理データの一具体例を示す図であって、２１は生産管理データ、２２は「図番」欄、２３は「スプール番」欄、２４は「品番」欄、２５は「溶接番」欄、２６は「材質」欄、２７は「口径」欄、２８は「場所」欄、２９は「曲げ工程」欄、２９ａは「予定」欄、２９ｂは「実績」欄、２９ｃは「状態」欄、３０は「組立工程」欄、３０ａは「予定」欄、３０ｂは「実績」欄、３０ｃは「状態」欄である。
【００２８】
同図において、この生産管理データは、「図番」欄２２によって図面１６（図２）毎に区分され、また、各図面１６のデータは、「スプール番」欄２３によってスプール１９（図２）毎に区分され、各スプール１９のデータは、「品番」欄２４によって組立前の部品（パイプ１７（図２））毎に区分されている。
【００２９】
また、組立前の部品毎に（即ち、「品番」欄２４で設定される品番毎に）、「溶接番」欄２５でその部品の溶接番１８（図２）が登録され、「材質」欄２６でその部品の材質が、「口径」欄２７でその部品（パイプ１７）の口径が、「場所」欄２８でその部品の格納場所が夫々登録される。
【００３０】
さらに、組立前の部品毎に（即ち、「品番」欄２４で設定される品番毎に）、各工程に関する欄が設けられており、例えば、図１でのパイプ１７ａのように、それを曲げるための曲げ工程を経る部品に対しては、「曲げ工程」欄２９での「予定」欄２９ａに曲げ工程で作業が行なわれる、あるいは行なわれた予定日が、「実績」欄２９ｂに曲げ工程が着手完了した日にちが、「状態」欄２９ｃに曲げ工程に対する「未着手」，「作業中」，「完了」といった状態が登録される。「組立工程」欄３０についても同様であって、「予定」欄３０ａに組立工程で作業が行なわれる、あるいは行なわれた予定日が、「実績」欄３０ｂに組立工程が完了した日にちが、「状態」欄３０ｃに組立工程に対する「未着手」，「作業中」，「完了」といった状態が登録される。
【００３１】
一例として、図２におけるスプール番が「Ｔ０２３」のスプール１９ａについてみると、品番「５」，「６」，「７」のパイプ１７ａ，１７ｂ，１７ｃは、その材質が「材質」欄２６で示される「ＳＴＰ４１」で同じ材質であり、その構成が「口径」欄２７で示される「１２５ｍｍ」で同じ構成であり、品番「５」のパイプ１７ａは「Ｄヤード」に保管されているのに対し、品番「６」，「７」のパイプ１７ｂ，１７ｃは「Ｂ棟」に保管されていることになる。そして、曲げ工程では、品番「５」，「７」のパイプ１７ａ，１７ｃが、実行予定日が「１０年３月１６日」であるのに対し、「１０年３月２０日」に曲げ作業が行なわれ、現在では、これらの曲げ工程の作業が完了していることになる。品番「６」のパイプ１７ｂについては、図２に示すように、曲げ部分がないので、曲げ工程を必要とせず、従って、その「曲げ工程」欄２９での「予定」欄２９ａや「実績」欄２９ｂ，「状態」欄２９ｃには、「―」を示している。
【００３２】
品番「５」，「６」，「７」のパイプ１７ａ，１７ｂ，１７ｃを組み合わせてスプール番「Ｔ０２３」のスプール１８ａ（図２）が組み立てられるが、その組立工程が「１０年３月３１日」であるのに対して、まだ実行されていないときには、生産管理データでは、これら品番「５」，「６」，「７」のパイプ１７ａ，１７ｂ，１７ｃともに、「組立工程」欄３０での「予定」欄３０ａで「１０／３／３１」が登録され、「状態」欄３０ｃに「未着手（遅延）」が登録される。
【００３３】
なお、スプール番「Ｔ０２４」での品番「８」，「９」のパイプ１７ｄ，１７ｅも、曲げ部分がないので、曲げ工程は必要でなく、その「曲げ工程」欄２９での「予定」欄２９ａや「実績」欄２９ｂ，「状態」欄２９ｃでは、「―」を示している。
【００３４】
また、スプール番「Ｔ０２４」での品番「１１」のパイプ１７ｇは、曲げ部分があるため、その「曲げ工程」欄２９によると、その曲げ作業が実行予定日「１０年３月２０日」に実行されず、本日（１０年４月１０日）に実行されて現在作業中である。このような場合、その「状態」欄２９ｃに「実行中（遅延）」が登録される。
【００３５】
さらに、図番が「３５５２４７」（「図番」欄２２）でスプール番が「Ｖ０１５」（「スプール番」欄２３）のスプールにおいて、品番が「１」，「２」（「品番」欄２４）のパルブについては、曲げ工程で本日（１０年４月１０日）が予定日で、この日に組立作業が実行され、現在実行中とすると、「曲げ工程」欄２９の「状態」欄２９ｃに「作業中」が登録される。この作業が完了すると、「曲げ工程」欄２９の「実績」欄２９ｂに実行開始した「１０年４月１０日」が登録され、「状態」欄２９ｃで「作業中」から「完了」に変更される。
【００３６】
以上のことは、「組立工程」欄３０などの他の工程の欄においても、同様である。
【００３７】
また、ここでは、工程として、「曲げ工程」欄２９と「組立工程」欄３０のみを示しているが、これら以外の工程についても、図示しないが、同様に欄が記載されている。例えば、製作手配システム９（図１）からの部品の発注，納品などに関するデータが登録されている欄や外注管理システム１２からの外注された部品などに関するデータが登録されている欄なども設けられている。
【００３８】
図４は図１での第２の表示部３で表示される操作画面の一具体例を示す図であって、３１は操作画面、３２は工程グループリスト、３３ａは「生管」グループボタン、３３ｂは「下拵え」グループボタン、３３ｃは「まとめ」グループボタン、３３ｄは「検査」グループボタン、３３ｅは「発送」グループボタン、３４は吹き出し、３５は工程リスト、３６ａは「ケガキ」工程ボタン、３６ｂは「曲げ」工程ボタン、３６ｃは「切断」工程ボタン、３６ｄは「開先」工程ボタン、３７は吹き出し、３８は指定期間リスト、３９は指定口径リスト、４０は「モニタリング」ボタン、４１は今日の日付、４２は「マップ」ボタン、４３は「カレンダ」ボタン、４４は「取り消し」ボタン、４５は「完了」ボタンである。
【００３９】
図１において、キーボード７を操作して第２の表示部３を起動させると、そのタッチパネルを備えた表示画面に、図４に示す操作画面３１が表示される。
【００４０】
この操作画面３１には、その上辺側に「モニタリング」ボタン３８と今日の日付とが表示されるとともに、これらの下側に階層的に最上位となる工程グループリスト３２が表示される。この工程グループリスト３２は、部品（ここでは、パイプ１７）の発注や入荷などの工程を一括して（１つのグループにして）管理する「生管」工程グループを選択するための「生管」ボタン３３ａと、部品毎の組立前の加工などの各工程を一括して管理する「下拵え」工程グループを選択するための「下拵え」グループボタン３３ｂと、部品の組立などの各工程を一括して管理する「まとめ」工程グループを選択するための「まとめ」グループボタン３３ｃと、各工程間の検査を一括して管理する「検査」工程グループを選択するための「検査」グループボタン３３ｄと、製品（ここでは、配管）の発送に関する工程を一括して管理する「発送」工程グループを選択するための「発送」グループボタン３３ｅとが横に一列に配列されてなるものである。なお、これらグループボタン３３ａ〜３３ｅを総称する場合、グループボタン３３という。
【００４１】
なお、操作画面３１の下辺側には、「マップ」ボタン４２，「カレンダ」ボタン４３，「取り消し」ボタン４４及び「完了」ボタン４５が表示される。「マップ」ボタン４２及び「カレンダ」ボタン４３については、適宜後述する。
【００４２】
ここで、かかる工程グループリスト３２で所望とするグループボタン３３、ここでは、「下拵え」グループボタン３３ｂをオペレータがタッチ操作して選択すると（以下では、単に、タッチ操作するという）、この「下拵え」グループボタン３３ｂが色付け表示され、あるいは既に色付け表示されていれば、これとは異なる色に色付け表示され（点滅表示となってもよく、以下では、いずれの選択されたボタンは色付け表示で代表させる）、これとともに、この「下拵え」グループボタン３３ｂから吹き出し３４が表示されて、この吹き出し３４内にこの「下拵え」工程グループの下位階層となる工程リスト３５が表示される。
【００４３】
この吹き出し３４内に表示される工程リスト３５は、工程グループリスト３２で選択された工程グループを構成する工程のリストに該当するものであって、ここでは、工程グループリスト３２で「下拵え」グループボタン３３ｂが選択されたので、「下拵え」工程グループでの下位階層となる部品（パイプ１７）のケガキ作業工程の管理データを選択するための「ケガキ」工程ボタン３６ａと、同じく部品の曲げ作業工程の管理データを選択するための「曲げ」工程ボタン３６ｂと、同じく部品の切断作業工程の管理データを選択するための「切断」工程ボタン３６ｃと、同じく部品の開先作業工程の管理データを選択するための「開先」工程ボタン３６ｄとが横に一列に配列されてなるものである。なお、これら工程ボタン３６ａ〜３６ｄを総称する場合、工程ボタン３６という。
【００４４】
ここで、かかる工程リスト３５で所望とする工程ボタン３６、ここでは、例えば、「曲げ」工程ボタン３６ｂがタッチ操作で選択されると、この「曲げ」工程ボタン３６ｂが色付け表示され、これとともに、この「曲げ」工程ボタン３６ｂから吹き出し３７が表示されて、この吹き出し３７内にこの「曲げ」工程の下位階層となる指定期間リスト３８と指定口径リスト３９とが表示される。
【００４５】
この吹き出し３８内に表示される指定期間リスト３８には、管理期間を指定してこの指定期間での管理データを要求するための操作ボタンが表示されるものであって、ここでは、符号を省略するが、「今日」指定ボタンと「今週」指定ボタンと「今月」指定ボタンと「期間指定」指定ボタンとが横一列に配列して表示される。
【００４６】
また、この吹き出し３８内に表示される指定口径リスト３９には、部品（パイプ）の口径を指定してこの指定した口径の部品の管理データを要求するための操作ボタンが表示されるものであって、ここでは、符号を省略するが、「全口径」指定ボタンと「大口径」指定ボタンと「中口径」指定ボタンと「小口径」ボタンとが横一列に配列して表示される。
【００４７】
かかる操作画面３１において、タッチ操作により、工程グループリスト３２で所望とするグループボタン３３、ここでは、「下拵え」グループボタン３３ｂが選択され、次いで、工程リスト３５で所望とする工程ボタン３６、ここでは、「曲げ」工程ボタン３６ｂが選択され、次いで、指定期間リスト３８で所望とする期間指定のボタン、ここでは、「今週」指定ボタンが、指定口径リスト３９で所望とする部品の口径を指定するボタン、ここでは、「全口径」指定ボタンが夫々指定されて、各階層でのボタンが指定されると、第１の表示部２（図１）で表示する作業リスト画面の表示条件が設定されたことになり、図１において、作業工程管理端末１の端末制御部４からかかる表示条件が工程負荷管理システム１３に送られる。工程負荷管理システム１３では、進捗管理部１４が、この表示条件をもとに、生産管理システムサーバ８の生産管理データ２１（図３）からこの表示条件に該当するデータを取得し、このデータをもとに作業リスト画面を作成して作業工程管理端末１に送る。作業工程管理端末１では、この作業リスト画面を端末制御部４で受信し、第１の表示部２に表示させる。
【００４８】
なお、「完了」ボタン４５がタッチ操作されると、後述する図５に示す第１の表示部２に表示される作業リスト画面において、カーソルで指定されている部品のデータが作業完了であることを示す色付け表示となる。また、「取り消し」ボタン４４がタッチ操作されると、図５に示す作業リスト画面において、指定された部品のデータの進捗状況の変更が行なわれる。
【００４９】
図５は図１における第１の表示部２に表示される作業リスト画面の一具体例を示す図であって、４６は作業リスト画面、４７は表示条件エリア、４８は予定トレイ、４９は作業・作業中トレイ、５０ａ，５０ｂは操作エリア、５１ａは工程グループ欄、５１ｂは工程欄、５１ｃは場所欄、５１ｄは指定期間欄、５１ｅは口径欄、５２ａ，５３ａは図番欄、５２ｂ，５３ｂは品番欄、５２ｃ，５３ｃは材質欄、５２ｄ，５３ｄは口径欄、５２ｅ，５３ｅは予定欄、５２ｆ，５３ｆは実績欄、５２ｇ，５３ｇは検査予定欄、５２ｈ，５３ｈは進捗状況欄、５４は「マップ」ボタン、５５は「図面」ボタン、５６は「カレンダ」ボタン、５７は「詳細」ボタン、５８は「着手」ボタン、５９は「取り消し」ボタン、６０は「完了」ボタン、６１はカーソルである。
【００５０】
同図において、作業リスト画面４６では、上から順に、表示条件エリア４７と、予定トレイ４８と、この予定トレイ４８の操作エリア５０ａと、作業・作業中トレイ４９と、この作業・作業中トレイ４９の操作エリア５０ｂとが設定される。
【００５１】
表示条件エリア４７には、図４に示す操作画面３１の工程グループリスト３２のグループボタン３３で指定された工程グループが表示される工程グループ欄５１ａや工程リスト３５の工程ボタン３６で指定された工程が表示される工程欄５１ｂ，指定期間リスト３８のボタンで指定された期間が表示される指定期間欄５１ｄ，指定口径リスト３９のボタンで指定された部品の口径が表示される口径欄５１ｅが設けられ、さらに、図３に示す生産管理データ２１の「場所」欄２８に登録されている指定された表示条件に該当する部品（パイプ１７）の保管場所を表わす場所欄５１ｃが設けられている。
【００５２】
予定トレイ４８は、表示条件エリア４７で表示される表示条件、即ち、工程グループ「下拵え」の工程「曲げ」の作業が今月予定されているが、この作業工程がまだ実行されていない全口径の部品（パイプ）のリストを表示するものであって、各部品毎に図番欄５２ａと、品番欄５２ｂと、材質欄５２ｃと、口径欄５２ｄと、予定欄５２ｅと、実績欄５２ｆと、検査予定欄５２ｇと、進捗状況欄５２ｈとが設けられ、夫々に図３に示す生産管理データ２１での該当するデータが表示される。
【００５３】
この場合、この予定トレイ４８で表示されている部品は、工程グループ「下拵え」の工程「曲げ」の作業が予定されているが、まだ実行されていないので、予定欄５２ｅにその実行予定の日にち、例えば、「１０／０４／２１」というように表示されるが、実績欄５２ｆには、何も表示されない。また、検査予定欄５２ｇには、この工程「曲げ」の作業が行なわれた部品の検査の予定日が、例えば、「１０／０４／２２」というように表示される。
【００５４】
進捗状況欄５２ｈには、夫々が順次の作業工程を表わす縦バーが配列されて表示され、これによって部品の作業工程の進捗状況が表わされる。図６は１つの部品での進捗状況欄５２ｈを拡大して示すものであって、６３ａ〜６３ｈは工程バーである。
【００５５】
同図において、進捗状況欄５２ｈには、製品である配管を作成するための構成品である部品（パイプ）の作業工程となる工程グループ「下拵え」の４個の作業工程と夫々毎の検査工程との８個の工程夫々毎に、縦バー状の工程バー６３ａ〜６３ｈが対応付けられている。工程グループ「下拵え」に図４に示す４個の工程があるから、工程バー６３ａ，６３ｃ，６３ｅ，６３ｇが夫々工程「ケガキ」，「曲げ」，「切断」，「開先」に対するものであり、工程バー６３ｂ，６３ｄ，６３ｆ，６３ｈが夫々これら工程の実行後の検査工程に対するものである。なお、これらを総称する場合、工程バータ６３ということにする。
【００５６】
ここで、未実行の工程に対しては、この工程に対する工程バー６３は枠だけが表示され、実行中の工程と実行完了の工程に対しては、その工程バー６３は異なる色で表示される。図示する例では、工程「ケガキ」が実行完了しており、これに対する工程バー６３ａは第１の色で表示されている。この工程「ケガキ」完了後の検査工程は現在実行中であり、これ故、この検査工程に対する工程バー６３ｂが工程バー６３ａの第１の色とは異なる第２の色で表示される。これら以後の工程については、未実行であるため、工程バー６３ｃ〜６３ｈは色付けされていない。
【００５７】
図５に戻って、作業・作業中トレイ４９は、表示条件エリア４７で表示される表示条件、即ち、工程グループ「下拵え」の工程「曲げ」の作業が今月予定されているが、この作業工程が実行中あるいは完了した全口径の部品のリストを表示するものであって、その構成は予定トレイ４８と同様であって、各部品毎に図番欄５３ａと、品番５３ｂと、材質欄５３ｃと、口径欄５３ｄと、予定欄５３ｅと、実績欄５３ｆと、検査予定欄５３ｇと、進捗状況欄５３ｈとが設けられ、夫々に図３に示す生産管理データ２１での該当するデータが表示される。
【００５８】
この場合、この作業・作業中トレイ４９では、工程グループ「下拵え」の工程「曲げ」の作業が実行中の部品に対しては、予定欄５２ｅにその実行予定の日にちが表示され、実績欄５２ｆには、何も表示されないが、この工程「曲げ」の工程が完了した部品に対しては、実績欄５２ｆにも、その完了した日にちが、例えば、「１０／０３／３０」というように表示される
【００５９】
また、進捗状況欄５２ｈでは、夫々の工程の工程バー６３が、図６に示すようにして、作業が完了した工程と作業実行中の工程と未実行の工程とで区別して表示される。
【００６０】
さらに、作業・作業中トレイ４９では、表示条件エリア４７で表示される工程（ここでは、工程「曲げ」）を実行中の部品に対しては、その図番欄５３ａから検査予定欄５３ｇにわたる部分が進捗状況欄５２ｈでの実行中と同じ色で色付けされ、同様に、表示条件エリア４７で表示される工程（ここでは、工程「曲げ」）を完了した部品に対しては、その図番欄５３ａから検査予定欄５３ｇにわたる部分が進捗状況欄５２ｈでの完了と同じ色で色付けされる。
【００６１】
このようにして、各部品の工程グループでの進捗状況を進捗状況欄５２ｈで容易に確認することができるとともに、指定された工程グループの指定された工程での部品の状況を予定トレイ４８や作業・作業中トレイ４９から容易に確認することができる。
【００６２】
予定トレイ４８には、操作エリア５０ａが設けられており、作業・作業中トレイ４９には、操作エリア５０ｂが設けられている。作業リスト画面４６には、マウス５（図１）によって操作されるカーソル６１が表示される。そして、マウス５によってカーソル６１を操作することにより、操作部５０ａ，５０ｂでの「マップ」ボタン５４，「図面」ボタン５５，「カレンダ」ボタン５６，「詳細」ボタン５７（操作部５０ａでのこれらボタンも同じ符号が付されているものとする）を選択することができ、操作部５０ａでの「着手」ボタン５８や操作部５０ｂでの「取り消し」ボタン５９，「完了」ボタン６０も選択することもできる。
【００６３】
また、予定トレイ４８において、所望の部品をマウス５によるカーソル６１の操作で指定する（以下、これをカーソル６１で指定という）と（ここでは、一例として、図番「３５５２４７」，品番「３」の部品について示している）、この部品についてのデータが白黒反転して表示され、かかる状態で「着手」ボタン５８をカーソル６１で指定すると、この部品が表示条件エリア４７で表示される工程「曲げ」の作業が着手されたものとし、この部品のデータが作業・作業中トレイ４９に移される。従って、予定トレイ４８に登録されている部品の「曲げ」の作業を開始するとき、このように、この部品を指定して「着手」ボタン５８を指定操作することにより、この部品の登録を予定トレイ４８から作業・作業中トレイ４９に変更させることができる。これにより、この部品の進捗状況が変化したことになるが、かかる進捗状況の変化は端末制御部４（図１）から工程負荷管理システム１３（図１）に通知され、これにより、生産管理システムサーバ８（図１）において、生産管理データ２１（図２）が更新される。
【００６４】
また、作業・作業中トレイ４９において、作業中の部品（例えば、図番「３５５２３９」で品番「２１」の部品）をカーソル６１で指定し（この部品は作業完了している）、「完了」ボタン６０をカーソル６１で指定すると、この部品のデータは作業完了を示す色付け表示となる。また、作業完了の部品（例えば、図番「３５５２３９」で品番「２５」の部品）をカーソル６１で指定し、「取り消し」ボタン５９をカーソル６１で操作すると、この部品のデータは作業中を示す色付け表示となり、これをさらに指定して「取り消し」ボタン５９をすると、この部品のデータは予定トレイ４８に移る。このような部品の進捗状況の変更も、工程負荷管理システム１３に送られて生産管理システムサーバ８の生産管理データ２１の更新が行なわれる。図４における「完了」ボタン４５及び「取り消し」ボタン４４は、図５で説明した「完了」ボタン６０及び「取り消し」ボタン５９と同様の機能をもつものである。
【００６５】
ここで、予定トレイ４８や作業・作業中トレイ４９での部品の指定は、図１において、マウス５によるカーソル６１の操作ばかりでなく、ＲＦＩＤリーダ６による帳票の読取りによっても行なうことができる。
【００６６】
図７は帳票の一具体例を示す図であって、６４は帳票、６５はＲＦＩＤタグである。
【００６７】
同図において、帳票６４は、部品毎に割り当てられたカードであって、その表面に、図示するように、この帳票６４が割り当てられた部品に関するデータ、例えば、この部品が描かれている図２に示すような図面での図番やスプール番号，品番，溶接番，材質，口径，寸法，形状，曲げ角度，加工条件，形状などが記載されており、さらに、この部品を指定するのに必要な図番やスプール番号，品番などの部品データがＲＦＩＤとともに記憶されたＲＦＩＤタグ６５が内蔵されている。
【００６８】
この帳票６４のＲＦＩＤタグ６５の部分を図１でのＲＦＩＤリーダ６の読取部に接触させると、このＲＦＩＤタグ６５からＲＦＩＤとともに部品データが読み取られ、図１での端末制御部４に供給される。端末制御部４は、この部品データをもとに、第１の表示部２に表示される図５に示す作業リスト画面４６での該当する部品を検索し、その部品のデータを表示の白黒反転により選択状態にする。かかる状態で、カーソル６１による「着手」ボタン５８，「取り消し」ボタン５９あるいは「完了」ボタン６０の選択操作により、上記のように、この部品のデータの表示位置を変更させることができる。
【００６９】
このようにして、帳票を用いることにより、予定トレイ４８や作業・作業中トレイ４９から目視で所望の部品のデータを探し出すという作業を回避できる。
【００７０】
なお、表示条件エリア４７での工程グループ欄５１ａや工程欄５１ｂ，場所欄５１ｃ，指定期間欄５１ｄ，口径欄５１ｅでは、カーソル６１の操作により、その表示内容を変更させることができ、この変更内容に応じて、予定トレイ４８や作業・作業中トレイ４９の表示内容も変更することになる。
【００７１】
また、予定トレイ４８には、スクロールバー６２ａが、作業・作業中トレイ４９には、スクロールバー６２ｂが夫々設けられており、これらをカーソル６１で操作することにより、予定トレイ４８の表示内容や作業・作業中トレイ４９の表示内容をスクロールさせることができる。
【００７２】
なお、操作エリア５０ａ，５０ｂの「マップ」ボタン５４，「図面」ボタン５５，「カレンダ」ボタン５６及び「詳細」ボタン５７については、後に説明する。
【００７３】
また、図４に示す操作画面３１の工程リスト３５での他の工程ボタン３６、即ち、「ケガキ」工程ボタン３６ａや「切断」工程ボタン３６ｃ，「開先」工程ボタン３６ｄがタッチ操作で選択された場合も、「曲げ」工程ボタン３６ｂが選択された場合の図５に示す作業リスト画面４６と同様の作業リスト画面が第１の表示部２（図１）で表示され、同様の操作をすることができる。
【００７４】
図８は図１での第２の表示部３で表示される操作画面の他の具体例を示す図であって、３１’は操作画面、６６は吹き出し、６７は工程リスト、６８ａは「組立」工程ボタン、６８ｂは「溶接」工程ボタン、６８ｃは「塗装」工程ボタン、６９は吹き出し、７０は指定期間リスト、７１は指定口径リストであり、図４に対応する部分には同一符号をつけて重複する説明を省略する。
【００７５】
同図において、この操作画面３１’は、工程グループリスト３２で「まとめ」グループボタン３３ｃがタッチ操作された場合のものであって、この「まとめ」グループボタン３３ｃが色付け表示され、これとともに、この「まとめ」グループボタン３３ｃから吹き出し６６が表示されて、この吹き出し６６内にこの「まとめ」工程グループの下位階層となる作業工程の工程リスト６７が表示される。
【００７６】
この吹き出し６６内に表示される工程リスト６７は、「まとめ」工程グループでの下位階層となる配管の構成品としての部品（パイプ１７）を同じく構成品としてのスプールに組み立てる組立作業工程の管理データを選択するための「組立」工程ボタン６８ａと、同じく部品間の溶接作業工程の管理データを選択するための「溶接」工程ボタン６８ｂと、同じくスプールの塗装作業工程の管理データを選択するための「塗装」工程ボタン６８ｃとが横に一列に配列されてなるものである。なお、これら工程ボタン６８ａ〜３８ｃを総称する場合、工程ボタン６８という。
【００７７】
ここで、かかる工程リスト６７で所望とする工程ボタン６８、ここでは、「組立」工程ボタン６８ａがタッチ操作で選択されると、この「組立」工程ボタン６８ａが色付け表示され、これとともに、この「組立」工程ボタン６８ａから吹き出し６９が表示されて、この吹き出し６９内に「組立」工程の下位階層となる指定期間リスト７０と指定口径リスト７１とが表示される。
【００７８】
この吹き出し３８内に表示される指定期間リスト７０は、図４での指定期間リスト３８と同様、管理期間を指定してこの指定期間での管理データを要求するための操作ボタンが表示されるものであって、ここでは、符号を省略するが、「今日」指定ボタンと「今週」指定ボタンと「今月」指定ボタンと「期間指定」指定ボタンとが横一列に配列して表示される。
【００７９】
また、この吹き出し３８内に表示される指定口径リスト７１は、図４での指定口径リスト３９と同様、部品（パイプ）の口径を指定してこの指定した口径の部品の管理データを要求するための操作ボタンが表示されるものであって、ここでは、符号を省略するが、「全口径」指定ボタンと「大口径」指定ボタンと「中口径」指定ボタンと「小口径」ボタンとが横一列に配列して表示される。
【００８０】
かかる操作画面３１’において、タッチ操作により、工程グループリスト３２で所望とするグループボタン３３、ここでは、「まとめ」グループボタン３３ｃが選択され、次いで、工程リスト６７で所望とする工程ボタン６８、ここでは、「組立」工程ボタン６８ａが選択され、次いで、指定期間リスト７０で所望とする期間指定のボタン、ここでは、「今週」指定ボタンが、指定口径リスト７１で所望とする部品の口径を指定するボタン、ここでは、「全口径」指定ボタンが夫々指定されると、第１の表示部２（図１）で表示する作業リスト画面の表示条件が設定されたことになり、しかる後、「完了」ボタン４５がタッチ操作されると、この表示条件が確定し、図４に示す操作画面３１での操作と同様にして、工程負荷管理システム１３（図１）の進捗管理部１４でこの表示条件に該当するデータをもとに作業リスト画面を作成され、これが作業工程管理端末１に送られて第１の表示部２に表示される。
【００８１】
図９は図１における第１の表示部２に表示される作業リスト画面の一具体例を示す図であって、７２は作業リスト画面、５２ｂ’，５３ｂ’はスプール番欄であり、図４に対応する部分には同一符号もしくは同一符号に「’」をつけて重複する説明を省略する。
【００８２】
同図において、この作業リスト画面７２は、部品（パイプ）を組み合わせてスプールを形成するものであって、上から順に、表示条件エリア４７’と、予定トレイ４８’と、この予定トレイ４８’の操作エリア５０ａ’と、作業・作業中トレイ４９’と、この作業・作業中トレイ４９’の操作エリア５０ｂ’とが設定される。
【００８３】
表示エリア４７’には、図５に示す作業リスト画面４６と同様、工程グループ欄５１ａ，工程欄５１ｂ，場所欄５１ｃ，指定期間欄５１ｄ及び口径欄５１ｅが設けられ、夫々に、図示するように、図８に示す操作画面３１’の工程グループリスト３２，工程リスト６７，指定期間リスト７０及び指定口径リスト７１でボタンの指定によって選択された事項が表示される。例えば、工程グループ欄５１ａに「まとめ」が表示され、工程欄５１ｂに「組立」が表示される。
【００８４】
予定トレイ４８’は、図５での予定トレイ４８と同様、表示エリア４７’で表示される表示条件、即ち、工程グループ「まとめ」の工程「組立」の作業が今月予定されているが、この作業工程がまだ実行されていない全口径のスプールのリストを表示するものであって、各スプール毎に図番欄５２ａと、スプール番５２ｂ’と、材質欄５２ｃと、口径欄５２ｄと、予定欄５２ｅと、実績欄５２ｆと、検査予定欄５２ｇと、進捗状況欄５２ｈとが設けられ、夫々に図１での生産管理システムサーバ８での図３に示すような生産管理データでのスプールに関するデータが表示される。
【００８５】
この場合、この予定トレイ４８’で表示されているスプールは、工程グループ「まとめ」の工程「組立」の作業が予定されているが、まだ実行されていないので、予定欄５２ｅにその実行予定の日にち、例えば、「１０／０４／０３」というように表示されるが、実績欄５２ｆには、何も表示されない。また、検査予定欄５２ｇには、この工程「組立」の作業が行なわれたスプールの検査の予定日が、例えば、「１０／０４／１５」というように表示される。また、進捗状況欄５２ｈは、先に図６で説明した図５に示す作業リスト画面４６の予定トレイ４８での進捗状況欄５２ｈと同様である。
【００８６】
作業・作業中トレイ４９’は、表示エリア４７’で表示される表示条件、即ち、工程グループ「まとめ」の工程「組立」の作業が今月予定されているが、この作業工程が実行中あるいは完了した全口径のスプールのリストを表示するものであって、その構成は予定トレイ４８’と同様であって、各部品毎に図番欄５３ａと、スプール番５３ｂ’と、材質欄５３ｃと、口径欄５３ｄと、予定欄５３ｅと、実績欄５３ｆと、検査予定欄５３ｇと、進捗状況欄５３ｈとが設けられ、夫々に図１での生産管理システムサーバ８での図３に示すような生産管理データでのスプールに関するデータが表示される。
【００８７】
この場合、この作業・作業中トレイ４９’では、図５に示す作業リスト画面４６での作業・作業中トレイ４９と同様、工程グループ「まとめ」の工程「組立」の作業が実行中の部品に対しては、予定欄５２ｅにその実行予定の日にちが表示され、実績欄５２ｆには、何も表示されないが、この工程「組立」の工程が完了した部品に対しては、実績欄５２ｆにも、その完了した日にちが。例えば、「１０／０３／３０」というように表示される。
【００８８】
なお、進捗状況欄５３ｈは、先に図６で説明した図５に示す作業リスト画面４６の作業・作業中トレイ４９での進捗状況欄５３ｈと同様である。
【００８９】
さらに、作業・作業中トレイ４９’では、図５における作業・作業中トレイ４９と同様、表示エリア４７’で表示される工程（ここでは、工程「組立」）を実行中の部品に対しては、その図番欄５３ａから検査予定欄５３ｇにわたる部分が進捗状況欄５２ｈでの実行中と同じ色で色付けされ、同様に、表示エリア４７’で表示される工程（ここでは、工程「組立」）を完了した部品に対しては、その図番欄５３ａから検査予定欄５３ｇにわたる部分が進捗状況欄５２ｈでの完了と同じ色で色付けされる。
【００９０】
このようにして、各部品の工程グループでの進捗状況を進捗状況欄５２ｈで容易に確認することができるとともに、指定された工程グループの指定された工程での部品の状況を予定トレイ４８’や作業・作業中トレイ４９’から容易に確認することができる。
【００９１】
予定トレイ４８’には、操作エリア５０ａ’が設けられており、作業・作業中トレイ４９’には、操作エリア５０ｂ’が設けられている。作業リスト画面７２においても、マウス５（図１）によって操作されるカーソル６１が表示される。そして、マウス５によってカーソル６１を操作することにより、操作部５０ａ’，５０ｂ’での「マップ」ボタン５４，「図面」ボタン５５，「カレンダ」ボタン５６，「詳細」ボタン５７（操作部５０ａ’でのこれらボタンも同じ符号が付されているものとする）を選択することができ、操作部５０ａ’での「着手」ボタン５８や操作部５０ｂ’での「取り消し」ボタン５９，「完了」ボタン６０も選択することもできる。
【００９２】
また、予定トレイ４８’において、所望のスプールをマウス５によるカーソル６１で指定すると（ここでは、例えば、図番「３５５２０４」，スプール番「Ｔ０２３」のスプールについて示している）、このスプールについてのデータが白黒反転して表示され、かかる状態で「着手」ボタン５８をカーソル６１で指定すると、このスプールが表示エリア４７’で表示される工程「組立」の作業が着手されたものとし、このスプールのデータが作業・作業中トレイ４９’に移される。従って、予定トレイ４８’に登録されているスプールの組立作業を開始するとき、このように、このスプールを指定して「着手」ボタン５８を指定操作することにより、このスプールの登録を予定トレイ４８’から作業・作業中トレイ４９’に変更させることができる。これにより、このスプールの進捗状況が変化したことになるが、かかる進捗状況の変化は端末制御部４（図１）から工程負荷管理システム１３（図１）に通知され、これにより、生産管理システムサーバ８（図１）において、生産管理データが更新される。
【００９３】
また、作業・作業中トレイ４９’において、作業中のスプール（例えば、図番「３５５２０７」でスプール番「Ｔ０４９」のスプール）をカーソル６１で指定し（この場合、このスプールは組立作業を完了していることになる）、「完了」ボタン６０をカーソル６１で指定すると、このスプールのデータは作業完了を示す色付け表示となる。また、作業完了の部品（例えば、図番「３５５２０３」でスプール番「Ｓ１０４」のスプール）をカーソル６１で指定し、「取り消し」ボタン５９をカーソル６１で指定すると、このスプールのデータは作業中を示す色付け表示となり、さらに「取り消し」ボタン５９を指定すると、このスプールのデータは予定トレイ４８’に移る。このようなスプールの進捗状況の変更も、工程負荷管理システム１３に送られて生産管理システムサーバ８の生産管理データの更新が行なわれる。
【００９４】
ここで、予定トレイ４８’や作業・作業中トレイ４９’でのスプールの指定は、図１において、マウス５によるカーソル６１の操作ばかりでなく、先に説明したように、ＲＦＩＤリーダ６による帳票６４（図７）の読み取りによっても行なうことができる。
【００９５】
なお、操作エリア５０ａ’，５０ｂ’の「マップ」ボタン５４，「図面」ボタン５５，「カレンダ」ボタン５６及び「詳細」ボタン５７については、後に説明する。
【００９６】
また、図８に示す操作画面３１’の工程リスト６７での他の工程ボタン６８、即ち、「溶接」工程ボタン６８ｂや「塗装」工程ボタン６８ｃがタッチ操作で選択された場合も、「組立」工程ボタン６８ａが選択された場合の図９に示す作業リスト画面７２と同様の作業リスト画面が第１の表示部２（図１）で表示され、同様の操作をすることができる。
【００９７】
以上のように、第２の表示部３（図１）での操作画面３１，３１’のタッチ操作により、タッチ操作されたボタンに応じて、第１の表示部２（図１）で図５に示す作業リスト画面４６や図９に示すような作業リスト画面７２が表示され、また、かかる作業リスト画面４６や作業リスト画面７２が表示されている状態にあっても、第２の表示部３では、工程グループリスト３２が選択可能に表わされた操作画面３１，３１’が表示されているものであるから、作業リスト画面４６や作業リスト画面７２の表示を解消させる操作を行なうことなく、第２の表示部３で適宜のタッチ操作をするだけで、所望とする工程グループの個々の工程の作業リスト画面４６や作業リスト画面７２を選択して表示させることができる。
【００９８】
また、作業リスト画面４６や作業リスト画面７２の夫々では、そのときの作業工程の実行前の部品やスプールが予定トレイに、実行中や実行完了の部品やスプールが作業・作業中トレイに、夫々のトレイに表示されるから、これら部品やスプールのその工程での状況を容易に確認することができるし、その作業工程の予定状態から実行開始，実行完了状態への変更があった場合には、カーソルによる簡単な操作でもって該当する部品やスプールのデータを予定トレイから作業・作業中トレイへ登録の変更が可能であって、作業リスト画面４６や作業リスト画面７２では、部品やスプールの状態を正しく示すことができる。
【００９９】
ところで、図９に示す「組立」工程の作業リスト画面７２において、予定トレイ４８’での所定のスプールを上記のようにして指定し、予定トレイ４８’の操作エリア５０ａ’における「マップ」ボタン５４（なお、図９では、この「マップ」ボタン５４に符号は付していないが、操作エリア５０ａ’の「マップ」ボタン５４として、作業・作業中トレイ４９’の操作エリア５０ｂ’の「マップ」ボタン５４と区別する）がリモコン６１で指定操作されると、この予定トレイ４８’に登録されているスプールを形成する部品の所在場所を示すマップを表わす画面（マップ画面）が第１の表示部２に表示される。
【０１００】
図１０はかかるマップ画面の一具体例を示す図であって、７３はマップ画面、７４はマップ、７５ａ〜７５ｃは部品アイコン、７６ａ〜７６ｆは棟（倉庫）、７７ａ，７７ｂはヤード（中庭）、７８は参考欄、７９は「未発注」欄、８０は「未入荷」欄、８１は「外注」欄、８２は「閉じる」ボタンであり、図９に対応する部分には同一符号を付けて重複する説明を省略する。
【０１０１】
同図において、このマップ画面７４は、工程負荷管理システム１３の所在管理部１５（図１）で材料入出庫管理システム１１（図１）から生産管理システムサーバ８（図１）に提供されたデータ、即ち、図３に示す生産管理データ２１での「場所」欄２８などのデータを基に作成されたものであって、ここでは、図９に示す作業リスト画面７２で操作エリア５０ａ’の「マップ」ボタン５４がリモコン６１で指定操作されて表示されるものであって、この作業リスト画面７２に重なって表示される。
【０１０２】
このマップ画面７４では、Ａ棟７６ａ，Ｂ棟７６ｂ，Ｃ棟７６ｃ，Ｆ棟７６ｄ，Ｇ棟７６ｄ，Ｈ棟７６ｆなどの倉庫やＤヤード７７ａ，Ｅヤード７７ｂなどの敷地からなる倉庫敷地のマップ７４が示され、このマップ７４内にこの倉庫敷地内での「下拵え」工程グループの作業済みで組立作業予定の部品（即ち、図９に示す作業リスト画面７２の予定トレイ４８’にデータが登録されているスプールに組み立てられる部品）の所在位置が部品アイコン７５ａ〜７５ｃで示されている。これら部品アイコン５ａ〜７５ｃでは夫々、該当する部品の形状が図形で示されている。これら部品アイコン７５ａ〜７５ｃが、図９に示す「組立」工程の作業リスト画面７２の指定トレイ４８’で指定されたスプール（例えば、図９に図示する図番「３５５２０４」でスプール番「Ｔ０２３」のスプール）が構成される部品を表わすものであり、夫々の部品アイコン７５ａ〜７５ｃに、図示しないが、同じ図番とスプール番とが表示される。なお、マップ７４に図番／スプール番欄を設け、これにかかる図番「３５５２０４」とスプール番「Ｔ０２３」とを表示するようにしてもよい。
【０１０３】
また、このスプールに必要な部品が未発注である場合には、その部品の図番や品番を「未発注」欄７９に表示し、未入荷の場合には、その部品の図番や品番を「未入荷」欄８０に表示する。これら図番や品番は、工程負荷管理システム１３の所在管理部１５（図１）が生産管理システムサーバ８（図１）を介して製作手配システム９（図１）から取得して提供するものである。また、「下拵え」工程グルーブの作業工程を外注している場合には、その部品の図番や品番を「外注」欄８１に表示する。これら図番や品番は、工程負荷管理システム１３の所在管理部１５（図１）が生産管理システムサーバ８（図１）を介して外注管理システム１２（図１）から取得して、即ち、図３に示す生産管理データ２１から提供されるものである。
【０１０４】
なお、マップ７４には、さらに、参考欄７８が設けられており、これに所在場所が示される部品の種類やその状況が表示される。
【０１０５】
このようにして、マップ画面７３を表示させることにより、スプール１９を作成するための部品の所在場所や状況を容易に確認することができる。
【０１０６】
なお、マップ画面７３には、さらに、「閉じる」ボタン８２が設けられており、この「閉じる」ボタン８２がカーソル６１で指定操作されると、このマップ画面７３の表示が終了して、図９に示す作業リスト画面７２だけの表示状態に戻る。
【０１０７】
ところで、以上のマップ画面７３は、図９に示す作業リスト画面７２で予定トレイ４８’に対する操作エリア５０ａ’の「マップ」ボタン５４がカーソル６１で指定操作された場合に表示されるものであるが、この作業リスト画面７２の作業・作業中トレイ４９’で所定のスプールが指定されてこの作業・作業中トレイ４９’に対する「マップ」ボタン５４がカーソル６１で指定操作された場合には、このスプールの所在を示す図１０に示すマップ画面７３と同様のマップ画面（図示せず）が表示される。
【０１０８】
このことは、また、図５に示す作業リスト画面４６の予定トレイ４８でいずれか１つの部品を指定し、この予定トレイ４８に対する操作エリア５０ａの「マップ」ボタン５４をカーソル６１で指定操作した場合も、この作業リスト画面４６の作業・作業中トレイ４９でいずれか１つの部品を指定し、この作業・作業中トレイ４８に対する操作エリア５０ｂの「マップ」ボタン５４をカーソル６１で指定操作した場合も同様であるし、さらに、図４や図８で示す操作画面３１，３１’での「マップ」ボタン４２をカーソル６１で指定操作した場合も同様である。なお、この操作画面３１，３１’での「マップ」ボタン４２の指定操作は、第１の表示部２に図５に示す作業リスト画面４６が表示されているときや図９に示す作業リスト画面７２が表示され、かかる作業リスト画面４６や作業リスト画面７２でいずれかの物品やスプールなどが指定されているときに有効である。
【０１０９】
以下では、図１０に示すマップ画面７３について、さらに説明するが、上記の各マップ画面についても同様である。
【０１１０】
図１１は図１０に示すマップ画面７３で所定の部品アイコンを指定したときの表示状態を示す図であって、８３は部品情報表示エリア、８４ａは図番、８４ｂはスプール番、８４ｃは品番、８４ｄは所在場所、８４ｅはコメント欄であり、図１０に対応する部分には同一符号を付けて重複する説明は省略する。
【０１１１】
図１０に示すマップ画面７３で、カーソル６１によって所定の部品アイコン７５ｃで指定すると、図１１に示すように、マップ画面７３に重なって部品情報表示エリア８３が表示され、この部品情報表示エリア８３内に、カーソル６１で指定された部品アイコン６１に該当する部品に関する情報、即ち、この部品の図番８４ａとスプール番８４ｂと品番８４ｃと所在場所８４ｄとが表示され、また、この部品に関するコメントが表示され、また、コメントを記入することができるコメント欄８４ｅが表示される。かかる図番８４ａやスプール番８４ｂ，品番８４ｃ，所在場所８４ｄは生産管理システムサーバ８（図１）の生産管理データ２１（図３）から取得したものであり、コメント欄８４ｅには、例えば、部品の所在場所の変更などに関する情報が記録される。
【０１１２】
図１２は図１１に示すマップ画面７３で所定の部品アイコンを移動させたときの状態を示す図であって、図１１に対応する部分には同一符号を付けて重複する説明は省略する。
【０１１３】
図１１に示す表示状態でカーソル６１をクリックした状態で移動させることにより、クリックされている部品アイコンを別の場所に移動させることができる（ドラッグ アンド ドロップ）。図１２に示すマップ画面７３は、図１１に示すマップ画面７３で部品アイコン７５ｃをＤヤード７７ａからＢ棟７６ｂに移動させた状態を示すものである。このように、部品をある場所（例えば、Ｄヤード７７ａ）から他の場所（例えば、Ｂ棟７６ｂ）に移動させた場合には、このように、この部品に該当する部品アイコン（例えば、部品アイコン７５ｃ）をドラッグ アンド ドロップすることにより、部品とこれに該当する部品アイコン７５との位置関係を一対一に対応させることができる。
【０１１４】
なお、このように、部品アイコン７５ｃの場所を変更した場合には、その部品情報表示エリア８３の所在場所８４ｄも、変更された場所にその表記が変更される。
【０１１５】
また、以上は、図９に示す作業リスト画面７２の予定トレイ４８’で１つのスプールが選択された状態で予定トレイ４８’に対する操作エリア５０ａ’の「マップ」ボタン５４がカーソル６１で指定操作された場合を説明したが、予定トレイ４８’で１つのスプールが選択されない状態で操作エリア５０ａ’の「マップ」ボタン５４がカーソル６１で指定操作された場合には、予定トレイ４８’の全てのスプールに対して、図１０に示すようなマップ画面７３が表示され、図１１，図１２に示す操作をすることができる。このことは、図９に示す作業リスト画面７２の作業・作業中トレイ４９’に対する操作エリア５０ｂ’の「マップ」ボタン５４を同様の状態で指定操作した場合も同様であり、図５に示す作業リスト画面４６についても同様である。図４に示す操作画面３１や図８に示す操作画面３１’についても、図５に示す作業リスト画面４６で部品が指定されていなくとも、図９に示す作業リスト画面７２でスプールが指定されなくとも、「マップ」ボタン４２がタッチ操作されたときには、図１０に示すようなマップ画面７３が表示され、図１１，図１２に示すような操作が可能であるが、この場合には、このマップ画面７３のマップ７４には、図５に示す作業リスト画面４６に表示される全ての部品の部品アイコン７５が表示され、あるいはまた、図９に示す作業リスト画面７２に表示される全てのスプールの部品の部品アイコン７５が表示される。
【０１１６】
図５に示す作業リスト画面４６で予定トレイ４８に対する操作エリア５０ａと操作エリア５０ｂとのいずれかの「カレンダ」ボタン５６がカーソル６１で指定されると、この予定トレイ４８の各部品について、表示条件エリア４７での工程欄５１ｂで示される工程の作業状況を示すカレンダ画面が表示される。
【０１１７】
図１３はかかるカレンダ画面の一具体例を示す図であって、５１ｆはカレンダ画面表示指定欄、８５はカレンダ画面、８６は「月」座標軸、８７は「日」座標軸、８８は部品表示エリア、８９は基準日、９０は部品アイコン、９１ａは図番、９１ｂは品番、９２は枠、９３はスクロールバー、９４は「リストに戻る」ボタンである。
【０１１８】
図５に示す作業リスト画面４６で予定トレイ４８に対する操作エリア５０ａの「カレンダ」ボタン５６がカーソル６１で指定されると、図１３に示すカレンダ画面８５がこの作業リスト画面４６に重なって表示される。このカレンダ画面８５は、操作エリア５０ａの「カレンダ」ボタン５６の操作とともに、端末制御部４（図１）から工程負荷管理システム１３に要求が出され、この要求に応じて工程負荷管理システム１３の進捗管理部１４（図１）が生産管理システムサーバ８（図１）の生産管理データ２１（図３）のデータを基に作成するものであり、これが作業工程管理端末１（図１）に提供されるものである。
【０１１９】
ここで、かかるカレンダ画面８５が表示されるとともに、作業リスト画面４６の表示条件エリア４７にカレンダ画面表示指定欄５１ｆが追加表示され、このカレンダ画面表示指定欄５１ｆで、デフォルトとして、「図番品番」が表示されて指定され、これにより、表示されるカレンダ画面８５は、部品を図番，品番順に表示するものとなる。また、このときの作業リスト画面４６では、図５に示す作業リスト画面４６での「取り消し」ボタン５９や「完了」ボタン６０に代わって「リストに戻る」ボタン９４が表示され、この「リストに戻る」ボタン９４がカーソル６１で指定操作されると、図５に示す作業リスト画面４６だけの表示状態に戻る。
【０１２０】
この図番，品番順のカレンダ画面８５では、「月」軸８６及び「日」軸８７を時間軸として、各部品が部品アイコン９０で示す部品表示エリア８８が設けられており、この部品アイコン９０は、その先端がこれに該当する部品の工程欄５１ｂに示される作業工程（「下拵え」工程グループの「曲げ」工程）の作業開始日を、終端がこの作業工程の作業終了日を夫々表わす横バーの形状をなしており、この先端側に図番９１ａと品番９１ｂとが示されている。なお、上記の開始日は、この作業工程が実行されない部品に対しては、作業開始予定日となり、また、この作業工程が終了していない部品に対しては、上記の終了日は終了予定日となる。なお、基準日８９は「今日」という日にちであるが、開始日，終了日がこの基準日２９より遅いときには、夫々開始予定日，終了予定日となるが、開始日や終了日が基準日８９よりも早くとも、その部品の作業工程が実行されていない場合には、実行が遅れていることになり、この場合も、変更されない限り、その開始日や終了日が開始予定日，終了予定日となる。
【０１２１】
この図番，品番順のカレンダ画面８５の部品表示エリア８８では、上側から部品の作業工程の開始日が遅い順に部品アイコン９０が配列される。ここでは、図番９１ａが「３５５２４８」で品番９１ｂが「７」，「６」，「５」の部品が最も遅く「曲げ」工程が実行されるので、これらの部品アイコン９０が最も上側に表示され、次いで、図番９１ａが「３５５２４８」で品番９１ｂが「３」，「２」，「１」の部品が次に遅く「曲げ」工程が実行されるので、品番「７」，「６」，「５」の部品アイコン９０の下側に表示され、図番９１ａが「３５５２３９」で品番９１ｂが「２５」，「２４」，「２３」，「２２」，「２１」，「２０」の部品が最も早く「曲げ」工程が実行されたので、最も下側に表示される。
【０１２２】
また、夫々の部品アイコン９０は、その進捗状況に応じて、図５に示す作業リスト画面４６の予定トレイ４８や作業・作業中トレイ４９での部品と同じ色付けがなされている。例えば、図番９１ａが「３５５２４８」で品番９１ｂが「７」の部品は「曲げ」工程が実行されていないので、その部品アイコン９０は白地の黒枠で表示され、図番９１ａが「３５５２４７」で品番９１ｂが「２」の部品は「曲げ」工程が実行中であるので、その部品アイコン９０は所定の色付けで表示され、図番９１ａが「３５５２３９」で品番９１ｂが「２５」の部品は「曲げ」工程が実行完了しているので、その部品アイコン９０は他の所定の色付けで表示される。さらに、図５に示す作業リスト画面４６で選択状態（白黒反転状態で表示）にある図番９１ａが「３５５２４７」で品番９１ｂが「３」の部品に対する部品アイコン９０では、黒あるいは色付きの枠９２が付された表示状態になっている。
【０１２３】
なお、このカレンダ画面８５には、スクロールバー９３が設けられており、このスクロールバー９３をカーソル６１（図示せず）で操作することにより、部品表示エリア８８を上下方向にスクロールさせることができ、これまで表示されていなかった他の部品の部品アイコン９０をカレンダ画面８５に表示させることができる。
【０１２４】
このように、この図番，品番順のカレンダ画面８５により、表示条件エリア４７の工程欄５１ｂで指定される工程での各部品の状況を図番，品番の順に確認することができる。
【０１２５】
かかる図番，品番順のカレンダ画面８５でカレンダ画面表示指定欄５１ｆをカーソル６１で操作することにより、他の形態で各部品の状況を表わすカレンダ画面を表示させることができる。
【０１２６】
図１４は図１３に示すカレンダ画面８５のカレンダ画面表示指定欄５１ｆで指定された口径順で部品の状況を示すカレンダ画面を示す図であって、８５ａはカレンダ画面、８８ａ，８８ｂ，８８ｃは口径区分表示エリアであり、図１３に対応する部分には同一符号を付けて重複する説明を省略する。
【０１２７】
図１３に示す図番，品番順のカレンダ画面８５でのカレンダ画面表示指定欄５１ｆをカーソル６１で操作することにより、「口径」を指定すると、図１４に示すように、部品表示エリア８８で部品をその口径毎に区分して部品アイコン９０を示すカレンダ画面８５ａが表示される。
【０１２８】
この部品表示エリア８８は、例えば、図示するように、口径区分表示エリア８８ａ，８８ｂ，８８ｃに区分され、口径区分表示エリア８８ａには、口径が５００Ａの部品の部品アイコン９０が、口径区分表示エリア８８ｂには、口径が２５０Ａの部品の部品アイコン９０が、口径区分表示エリア８８ｃには、口径が１２５Ａの部品の部品アイコン９０が夫々表示される。夫々の口径区分表示エリア８８ａ〜８８ｃで表示される部品アイコン９０は、図１３に示すカレンダ画面８５と同様であり、部品アイコン９０毎に、表示条件エリア４７の工程欄５１ｂで設定されている工程（ここでは、「曲げ」工程）のその部品の実行期間を「月」座標軸８６と「日」座標軸８７とに合せた位置に表示される。
【０１２９】
このようにして、このカレンダ画面８５ａでは、指定された作業工程での部品の状況をその口径毎に区別して確認することができる。
【０１３０】
図１３に示すカレンダ画面８５においても、また、図１４に示すカレンダ画面８５ａにおいても、夫々の部品の指定された作業工程での実行予定日の調整をすることができる。
【０１３１】
図１５はかかる作業工程の実行予定日の調整をするときの状態にあるカレンダ画面の一具体例を示す図であって、８５ｂはカレンダ画面であり、図１４に対応する部分には同一符号を付けて重複する説明を省略する。
【０１３２】
図１４に示すカレンダ画面８５ａにおいて、部品アイコン９０をカーソル６１で操作することにより、図１５に示すように、この部品アイコン９０の始端や終端を移動させることにより、この部品アイコン９０に該当する部品の表示条件エリア４７での工程欄５１ｂで示される作業工程（ここでは、「曲げ」工程）の開始予定日や終了予定日を調整することができる。かかる調整操作は、この作業工程の実行が開始されない部品の開始，終了予定日や実行中の部品の終了予定日について可能である。
【０１３３】
例えば、図１４に示すカレンダ画面８５ｂにおいて、口径区分表示エリア８８ａの図番９１ａが「３５５２４８」で品番９１ｂが「７」の部品アイコンの終端をカーソル６１でクリックし、かかる状態でカーソル６１を左方向（日にちが進む方向）にドラッグしてクリックを解除（ドラッグ）すると、図１５に示すように、この終端が左方向の位置に変更されることになり、これにより、この部品アイコン９０に該当する部品の「曲げ」工程の実行終了日が早められることになる。
【０１３４】
口径区分表示エリア８８ａの各部品９０は、同様にして、「曲げ」工程の実行終了日を調整して早めたものであり、同様に、口径区分表示エリア８８ｂの図番９１ａが「３５５２４７」で品番９１ｂが「１」，「２」，「５」〜「８」の部品アイコン９０や図番９１ａが「３５５２３９」で品番９１ｂが「２１」の部品アイコン９０、口径区分表示エリア８８ｃの図番９１ａが「３５５２４８」で品番９１ｂが「１」，「２」及び図番９１ａが「３５５２４７」で品番９１ｂが「９」，の部品アイコン９０も、該当する部品の「曲げ」工程の実行終了日が早められることになる。
【０１３５】
また、例えば、図１４に示すカレンダ画面８５ｂにおいて、口径区分表示エリア８８ａの図番９１ａが「３５５２４７」で品番９１ｂが「１２」の部品アイコンの始端をカーソル６１でクリックし、かかる状態でカーソル６１を右方向（日にちが遅れる方向）にドラッグしてクリックを解除（ドロップ）すると、図１５に示すように、この始端が右方向の位置に変更されることになり、これにより、この部品アイコン９０に該当する部品の「曲げ」工程の実行開始日を遅らせることになる。
【０１３６】
口径区分表示エリア８８ａの図番９１ａが「３５５２４７」で品番９１ｂが「１０」，「４」，「３」の各部品９０も、同様にして、「曲げ」工程の実行終了日を遅くするように調整したものであり、同様に、口径区分表示エリア８８ｂの図番９１ａが「３５５２４８」で品番９１ｂが「３」の部品アイコン９０や口径区分表示エリア８８ｃの図番９１ａが「３５５２４８」で品番９１ｂが「５」の部品アイコン９０も、該当する部品の「曲げ」工程の実行終了日を遅らされたものである。
【０１３７】
なお、口径区分表示エリア８８ｂの図番９１ａが「３５５２４８」で品番９１ｂが「６」の部品アイコン９０や口径区分表示エリア８８ｃの図番９１ａが「３５５２４７」で品番９１ｂが「９」の部品アイコン９０は、同様にして、該当する部品の「曲げ」工程の実行開始予定日を遅らせるとともに、実行終了予定日を早めたものである。
【０１３８】
以上のように、カレンダ画面を表示することにより、該当する作業工程での各部品の作業予定を確認できるとともに、その予定日を簡単な操作でもって調整することができる。
【０１３９】
なお、以上のカレンダ画面８５，８５ａ，８５ｂは、図９に示す作業リスト画面７２などの他の作業リスト画面でも、操作エリア５０ａ’，５０ｂ’をカーソルで指定操作することにより、同様に表示されるものであり、図４に示す操作画面３１や図８に示す操作画面３１’での「カレンダ」ボタン４３をカーソル６１で指定操作したときも、同様に表示される。
【０１４０】
また、以上のカレンダ画面８５，８５ａ，８５ｂはいずれの作業現場の端末１，１Ａ〜１Ｃで表示可能であるが、作業工程の予定日の調整は、その作業工程を実行する作業現場の端末でのみ実行可能である。
【０１４１】
さらに、以上の予定日の調整結果は、図１において、端末制御部４から工程負荷管理システム１３に送られ、工程負荷管理システム１３はこの調整結果に合せて生産管理システムサーバ８の図３に示す生産管理データ２１を更新する。
【０１４２】
図４に示す操作画面３１や図８に示す操作画面３１’での「モニタリング」ボタン４０がタッチ操作されると、全工程での作業の進捗状況を示すモニテリング画面が第１の表示部２（図１）で表示される。
【０１４３】
図１６はかかるモニタリング画面の一具体例を示す図であって、９５はモニタリング画面、９６は「工程」欄、９７は「予定」欄、９８は「実績」欄、９９はグラフ表示エリア、９９ａは実績比率、９９ｂは遅延比率、１００は「遅延数」表示欄、１００ａ，１００ｂは遅延数、１０１は吹き出し、１０２は経過グラフ、１０２ａは予定比率経過グラフ、１０２ｂは予定比率経過グラフ、１０２ｃは遅延比率である。
【０１４４】
同図において、モニタリング画面９５では、現在の日にち（ここでは、２０１０年４月１日としている）での、「工程」欄９６に示される全作業工程毎に、「予定」欄９７に図番単位で実行予定の図面数の比率（％）が、「実績」欄９８に図番単位で実行完了の図面数の比率（％）が夫々表示される。ここで、この「予定」欄９７の「予定」とは、この日までに該当する作業工程で作業が予定されている図面の枚数比率をいうものであって、例えば、「ケガキ」工程の場合、この日までに全体の９０％の図面について、「ケガキ」工程の作業が予定されていることになる。
【０１４５】
また、「実績」欄９８の「実績」とは、この日までに該当する作業工程で作業が行なわれた図面の枚数比率をいうものであって、例えば、「ケガキ」工程の場合、この日までに全体の９０％の図面について、「ケガキ」工程の作業が行なわれたことになる。
【０１４６】
グラフ表示エリア９８では、「工程」欄９６での各作業工程毎に「予定」欄９７での予定比率と「実績」欄９８での実績比率とが棒グラフで示される。かかる棒グラフでは、その該当する作業工程の「予定」欄９７での予定比率と「実績」欄９８での実績比率とが等しい場合には、実績比率９９ａが表示されるが、予定比率と実績比率とが異なる場合には（但し、予定比率＞実績比率）、実績比率９９ａに遅延比率９９ｂが重なって表示される。ここで、実績比率９９ａ＋遅延比率９９ｂ＝予定比率となる。
【０１４７】
また、グラフ表示エリア９８の下側には、「遅延数」表示欄１００が設けられており、「予定」欄９７での予定比率と「実績」欄９８での実績比率とが一致しない作業工程に対しては、その遅延比率９９ｂに該当する遅延数（施工図数）が表示される。例えば、「切断」工程では、「予定」欄９７での予定比率が８１％で「実績」欄９８での実績比率が７６％と５％の差があるが、この差が遅延数であって、これに相当する「１０枚」という遅延数１００ａが「遅延数」表示欄１００に表示され、また、「組立」工程では、「予定」欄９７での予定比率が６５％で「実績」欄９８での実績比率が６３％と２％の差があるが、この差が遅延数であって、これに相当する「６枚」という遅延数１００ｂが「遅延数」表示欄１００に表示される。
【０１４８】
このようにして、各作業工程での作業の進捗状況が具体的な数値やグラフで表示されるので、かかる進捗状況を目視で感覚的に、あるいは正確に確認することができる。
【０１４９】
また、「遅延数」表示欄１００に表示される遅延数、例えば、遅延数１００ａを図示しないカーソル６１で指定操作すると、この遅延数１００ａから吹き出し１０１が発生し、この吹き出し１０１内にこの指定された作業工程（この場合、「切断」工程）の経過グラフ１０２が表示される。この経過グラフ１０２は、現在時点（ここでは、２０１０年４月１日とする）を含む作業を開始してからこの作業が全ての図番に対して完了するまでの期間内でのこの作業工程の予定比率の経時変化を示す予定比率経過グラフ１０２ａと実績比率の経時変化を示す実績比率経過グラフ１０２ｂとのグラフを表わすものであって、予定比率経過グラフ１０２ａでの現在時点での予定比率と実績比率経過グラフ１０２ｂでの現時点での実績比率とが夫々、「予定」欄９７と「実績」欄９８に記載されているものである。「遅延数」表示欄１００に表示される遅延数１００ａは、遅延比率１０２ｃとして、現時点から表わされる現時点の実績比率に設定された実績比率経過グラフ１０２ｂに重ねて表示される。
【０１５０】
「遅延数」表示欄１００に表示される他の遅延数、ここでは、遅延数１００ｂを図示しないカーソル６１で指定操作した場合も同様であって、吹き出し１０１が生じて経過グラフ１０２と同様の経過グラフが表示される。
【０１５１】
図１６には図示しないが、モニタリング画面９５に「キャンセル」ボタンが設けられており、この「キャンセル」ボタンがカーソルで指定操作されると、第１の表示部２（図１）は、このモニタリング画面９５が表示される前のもとの表示状態に戻る。
【０１５２】
かかる経過グラフ１０２により、作業の遅れが生じた作業工程での作業の経過状況を目視で確認することができる。
【０１５３】
なお、図５に示す作業リスト画面４６の予定トレイ４８や作業・作業中トレイ４９でいずれかの部品が指定された状態で、操作エリア５０ａ，５０ｂでの「図面」ボタン５５がカーソル６１で指定操作されると、この作業リスト画面４６に重なって図２に示すような指定された部品を用いた製品の図面が表示される。
【符号の説明】
【０１５４】
１，１Ａ〜１Ｃ  作業工程管理端末
２，３  表示部
８  生産管理システムサーバ
１３  工程負荷管理システム
１４  進捗管理部
１５  所在管理部
１６  図面
１７ａ〜１７ｇ  パイプ（部品）
１９ａ，１９ｂ  スプール
２１  生産管理データ
２２  「図番」欄
２３  「スプール番」欄
２４  「品番」欄
２５  「溶接番」欄
２６  「材質」欄
２７  「口径」欄
２８  「場所」欄
２９  「曲げ工程」欄
３０  「組立工程」欄
２９ａ，３０ａ  「予定」欄
２９ｂ，３０ｂ  「実績」欄
２９ｃ，３０ｃ  「状態」欄
３１，３１’  操作画面
３２  工程グループリスト
３３ａ  「生管」グループボタン
３３ｂ  「下拵え」グループボタン
３３ｃ  「まとめ」グループボタン
３３ｄ  「検査」グループボタン
３３ｅ  「発送」グループボタン
３５  工程リスト
３６ａ  「ケガキ」工程ボタン
３６ｂ  「曲げ」工程ボタン
３６ｃ  「切断」工程ボタン
３６ｄ  「開先」工程ボタン
３８  指定期間リスト
３９  指定口径リスト
４０  「モニタリング」ボタン
４１  今日の日付
４２  「マップ」ボタン
４３  「カレンダ」ボタン
４６  作業リスト画面
４７  表示条件エリア
４８，４８’  予定トレイ
４９，４９’  作業・作業中トレイ
５０ａ，５０ｂ，５０ａ’，５０ｂ’  操作エリア
５１ａ  工程グループ欄
５１ｂ  工程欄
５１ｃ  場所欄
５１ｄ  指定期間欄
５１ｅ  口径欄
５１ｆ  カレンダ画面表示指定欄
５２ａ，５３ａ  図番欄
５２ｂ，５３ｂ  品番
５２ｂ’，５３ｂ’  スプール番欄
５２ｃ，５３ｃ  材質欄
５２ｄ，５３ｄ  口径欄
５２ｅ，５３ｅ  予定欄
５２ｆ，５３ｆ  実績欄
５２ｇ，５３ｇ  検査予定欄
５２ｈ，５３ｈ  進捗状況欄
５４  「マップ」ボタン
５５  「図面」ボタン
５６  「カレンダ」ボタン
５７  「詳細」ボタン
５８  「着手」ボタン
６３ａ〜６３ｈ  工程バー
６４  帳票
６５  ＲＦＩＤタグ
６７  工程リスト
６８ａ  「組立」工程ボタン
６８ｂ  「溶接」工程ボタン
６８ｃ  「塗装」工程ボタン
７０  指定期間リスト
７１  指定口径リスト
７２  作業リスト画面
７３  マップ画面
７４  マップ
７５ａ〜７５ｃ  部品アイコン
７６ａ〜７６ｆ  棟（倉庫）
７７ａ，７７ｂ  ヤード（中庭）
７９  「未発注」欄
８０  「未入荷」欄
８１  「外注」欄
８３  部品情報表示エリア
８４ａ  図番
８４ｂ  スプール番
８４ｃ  品番
８４ｄ  所在場所
８５，８５ａ，８５ｂ  カレンダ画面
８６  「月」座標軸
８７  「日」座標軸
８８  部品表示エリア
８８ａ，８８ｂ，８８ｃ  口径区分表示エリア
９０  部品アイコン
９１ａ  図番
９１ｂ  品番
９２  枠
９５  モニタリング画面
９６  「工程」欄
９７  「予定」欄
９８  「実績」欄
９９  グラフ表示エリア
９９ａ  実績比率
９９ｂ  遅延比率
１００  「遅延数」表示欄
１００ａ，１００ｂ  遅延数
１０２  経過グラフ
１０２ａ  予定比率経過グラフ
１０２ｂ  予定比率経過グラフ
１０２ｃ  遅延比率
【図１】
0005468436.tif 000002
【図２】
0005468436.tif 000003
【図３】
0005468436.tif 000004
【図４】
0005468436.tif 000005
【図５】
0005468436.tif 000006
【図６】
0005468436.tif 000007
【図７】
0005468436.tif 000008
【図８】
0005468436.tif 000009
【図９】
0005468436.tif 000010
【図１０】
0005468436.tif 000011
【図１１】
0005468436.tif 000012
【図１２】
0005468436.tif 000013
【図１３】
0005468436.tif 000014
【図１４】
0005468436.tif 000015
【図１５】
0005468436.tif 000016
【図１６】
0005468436.tif 000017